(57)【要約】【課題】  取付対象の支柱を選ばず設置対象への取り付けや移設作業が容易な作業現場監視装置を提供する。【解決手段】  人感センサ１と、警報を報知するためのスピーカ６と、スピーカ６の報知動作を制御する監視制御部５とを有し、監視制御部５を収納した筐体４に、人感センサ１、スピーカ６、更に取付対象に固定するための取付金具１１が組み付けられて成り、取付金具１１はベース金具７に単管パイプ１０に取り付けるためのパイプ取付金具１２、及びコンクリート柱９或いはポールにベルト１４を巻回して取り付けるための柱取付金具１３の双方が取り付けられて構成されている。【選択図】  図２
2018112832.tif 000002
【特許請求の範囲】
【請求項１】
人感センサ、温湿度センサ、風速センサのうち、少なくとも人感センサを備えると共に、警報を報知するための報知手段と、前記報知手段の報知動作を制御する異常判定制御手段とを有し、
前記異常判定制御手段を収納した筐体に、前記センサのうちの少なくとも人感センサ、報知手段、更に取付対象に固定するための取付金具が組み付けられて成り、
前記取付金具は、単管パイプに取り付けるためのパイプ取付金具、及びコンクリート柱或いはポールにベルトを巻回して取り付けるための柱取付金具の双方を具備して成ることを特徴とする作業現場監視装置。
【発明の詳細な説明】
【技術分野】
【０００１】
本発明は、建設現場等の工事現場において、不審者等を監視する作業現場監視装置に関する。
【背景技術】
【０００２】
建設現場等の工事現場には、建設のための資材や土木関係の資材、更には建設機材等が置かれているが、夜間等無人になるため資材が盗難に遇ってしまうことが近年頻発している。そのため、監視カメラやセンサを設置して異常を検知したら通報したり、撮像映像を保存する監視装置が提案されている。例えば特許文献１では、監視カメラ、スピーカ、表示灯、赤外線センサ、異常を検知したら所定の警報動作を実施させるコントロール装置等を取り付けたポールを適宜間隔で監視対象の現場に設置することで、不審者の検知及び通知を実施した。
【０００３】
一方で、このような工事現場はその殆どが屋外であるため、作業者が安全に作業を行うことができるよう夏場は熱中症対策が必要であり、屋外の工事現場において作業環境を監視する装置として、例えば特許文献２に記載された熱中症を予測する熱中症予測装置があった。これは、温湿度センサの情報を基に、温度と湿度の双方の数値が作業環境に合わせて設定した所定値以上となった場合に外部に警報信号を送信するものであった。
【先行技術文献】
【特許文献】
【０００４】
【特許文献１】特開２０１４−２２９２５８号公報
【特許文献２】特開２０１５−１９５４５１号公報
【発明の概要】
【発明が解決しようとする課題】
【０００５】
上記特許文献１の不審者対策のための監視装置は、センサ、表示灯、スピーカ等を個別にポールに取り付けて１つの監視装置を構成しているため、ポールへの組み付け作業が面倒であった。また、監視装置や上述した熱中症予測装置は作業現場の進捗に伴い移動することになるが、この移動作業も移動させる機器が多く面倒であった。
加えて、監視装置の設置対象は、ポールに限らず、コンクリート柱や作業現場の足場に使用される単管パイプとなる場合があり、必要に応じて取付金具にアタッチメントを装着して対応していた。
このように、監視装置の設置や移設は面倒な作業を伴った。
【０００６】
そこで、本発明はこのような問題点に鑑み、取付対象の支柱を選ばず設置対象への取り付けや移設作業が容易な作業現場監視装置を提供することを目的としている。
【課題を解決するための手段】
【０００７】
上記課題を解決する為に、請求項１の発明に係る作業現場監視装置は、人感センサ、温湿度センサ、風速センサのうち、少なくとも人感センサを備えると共に、警報を報知するための報知手段と、報知手段の報知動作を制御する異常判定制御手段とを有し、異常判定制御手段を収納した筐体に、センサのうちの少なくとも人感センサ、報知手段、更に取付対象に固定するための取付金具が組み付けられて成り、取付金具は、単管パイプに取り付けるためのパイプ取付金具、及びコンクリート柱或いはポールにベルトを巻回して取り付けるための柱取付金具の双方を具備して成ることを特徴とする。
【発明の効果】
【０００８】
本発明によれば、取付対象が単管パイプであってもコンクリート柱やポールであっても容易に作業現場監視装置を取り付けることができ、移設する際に取付対象を選ばない。また、異常判定制御手段を収納した筐体に人感センサ、報知手段、取付金具が組み付けられているため、１回の取付操作で作業現場監視装置をポール等の取付対象に固定でき、簡易な作業で取り付けできる。
【図面の簡単な説明】
【０００９】
【図１】本発明に係る作業現場監視装置の一例を示す正面図で、単管パイプに固定した状態を示している。
【図２】図１の作業現場監視装置の側面図で、コンクリート柱に固定した状態を示している。
【図３】図１の作業現場監視装置の平面図である。
【図４】図１の作業現場監視装置の背面図である。
【図５】柱取付金具を示し、（ａ）は正面図、（ｂ）は側面図、（ｃ）は平面図である。
【図６】作業現場監視装置とその通信先を含む概略構成図である。
【図７】監視制御部の機能ブロック図である。
【発明を実施するための形態】
【００１０】
以下、本発明を具体化した実施の形態を、図面を参照して詳細に説明する。図１〜４は本発明に係る作業現場監視装置の一例を示し、図１は正面図、図２は側面図、図３は平面図、図４は背面図であり、図１は単管パイプに固定した状態、図２はコンクリート柱に固定した状態を示している。１は人感センサ、２は温湿度センサ、３は表示灯、４は後述する異常判定制御手段としての監視制御部５及び警報音を報音する報音部としてのスピーカ６を収納した金属製の筐体、９はコンクリート柱、１０は単管パイプ、１１は筐体４をコンクリート柱９或いは単管パイプ１０等の取付対象に固定するための取付金具を示している。人感センサ１は筐体４の側面にネジ止め固定され、温湿度センサ２は連結金具１７を介して筐体４に連結されている。 
【００１１】
尚、８は筐体４に収納されている監視制御部５を始め人感センサ１、温湿度センサ２に電源を供給する電源プラグである。
【００１２】
取付金具１１は、筐体４が固定されるベース金具７に、単管パイプ１０に取り付けるための２つのパイプ取付金具１２、及びコンクリート柱９或いはポールに取り付けるための柱取付金具１３が取り付けられて構成されている。
パイプ取付金具１２は、図３に示すようにベース金具７に対してＬ字金具７ａを介して取り付けられ、単管パイプ１０を把持する円弧状把持部２０を有する固定金具１２ａと、この固定金具１２ａに蝶着されて同様に円弧状把持部２０を有する回動金具１２ｂとを有している。両者の開放端側は、固定金具１２ａに設けられたネジ棒２１に回動金具１２ｂを介してナット２２が螺入されることで連結され、単管パイプ１０に対して強固な把持固定が成される。
【００１３】
図５は柱取付金具１３を示し、（ａ）は正面図、（ｂ）は側面図、（ｃ）は平面図であり、何れもベース金具７に取り付けた状態を示している。柱取付金具１３は、電柱を始とするコンクリート柱９や単管パイプ１０より太いポールへの取り付けを可能とする金具であり、図５に示すように左右の側板１３ａ，１３ａの前端部を内側に鋭角に折り曲げて形成した柱当接片１３ｂ，１３ｂを有している。
また、側板１３ａの前端部から柱当接片１３ｂに掛けて、柱を緊縛するためのベルト１４（図２に示す）を挿通するベルト孔１３ｃが上下２箇所形成されている。
【００１４】
このベルト孔１３ｃにベルト１４を挿通し、一対の柱当接片１３ｂをコンクリート柱９等の柱に密着させ、ベルト１４を柱に巻回し締着することで、図２に示すように作業現場監視装置は固定される。
【００１５】
図６は作業現場監視装置、及びその通信先を加えた監視システムの概略構成図、図７は筐体４に組み込まれた監視制御部５の機能ブロック図を示している。図６，７に示すように、監視制御部５は通信ネットワークＮを構成する携帯電話通信網及びインターネット網を介して外部の管理サーバ１５と無線通信する無線通信部５１、警報を発する閾値等の各種設定値や警報内容をスピーカ６から報音するための各種メッセージを記憶するメモリ５２、人感センサ１、温湿度センサ２が出力する信号を受信する第１インターフェース（第１ＩＦ）５３、表示灯３、スピーカ６が接続される第２インターフェース（第２ＩＦ）５４、監視制御部５を制御する監視制御部ＣＰＵ５５、電源部５６等を備えている。
尚、各センサ１，２及び表示灯３、スピーカ６には、第１ＩＦ５３及び第２ＩＦ５４を介して監視制御部５から電源が供給される。
【００１６】
メモリ５２には、警報を発する閾値に加えて、例えば温度／湿度情報から熱中症発症の確率情報等が保存され、監視制御部ＣＰＵ５５の制御により入手した温度／湿度データから熱中症発症の確率が一定値に達したら熱中症危険信号が出力され、表示灯３及びスピーカ６から熱中症警報が発報される。
また監視制御部ＣＰＵ５５は、例えば１分毎に管理サーバ１５と通信し、各センサから取得した値と算出結果を管理サーバ１５に送信する。
【００１７】
人感センサ１は、赤外線センサが使用され、水平方向の赤外線を検知する２つのセンサと地面方向からの赤外線を検知するセンサとの３つの赤外線センサを備えている。この構成により、鳥や樹木の揺れによる誤動作を削減して侵入者の検知（感知）を可能とし、不審者等の移動する物体を感知したら感知信号を監視制御部５に出力する。
【００１８】
温湿度センサ２は、例えば１分毎に温度・湿度を計測して計測データを監視制御部５に出力する。
【００１９】
表示灯３は、赤、青、黄の３色の発光部を有し、監視制御部５の制御により発光動作する。例えば、不審者を感知した場合は赤色の照明を点滅させ、熱中症警報を発した場合は、黄色の照明を点滅させ、風速が所定値を超えたら青の照明を点灯させる。
スピーカ６は、筐体４の底部に設置され、監視制御部５の制御により各種警報音を発報するし、各種メッセージを報音する。
【００２０】
具体的に、人感センサ１が不審者の存在を感知したら警報動作を実施する。例えば、表示灯３が赤色灯の点滅等を実施し、スピーカ６から威嚇音が発報され、合わせて例えば「不審者がいます、直ちに立ち退いて下さい」が報音される。
また、温湿度センサ２の情報から温度湿度が一定条件を満たしたら熱中症警報が発報される。例えば、表示灯３が青色灯を点灯し、スピーカ６から警報音の鳴動と合わせて、「熱中症に注意して下さい」等のメッセージが報音される。
そして、これら不審者の感知、熱中症警報の監視状況は、無線通信部５１から通信ネットワークＮを介して管理サーバ１５に送信され、管理サーバ１５から更に管理者が管理する携帯端末等のユーザ端末１６に送信される。
【００２１】
このように、取付対象が単管パイプ１０であってもコンクリート柱９やポール等の柱であっても容易に作業現場監視装置を取り付けることができ、移設する際に取付対象を選ばない。また、監視制御部５を収納した筐体４に人感センサ１、温湿度センサ２、スピーカ６、取付金具１１が組み付けられているため、１回の取付操作で作業現場監視装置をポール等の取付対象に固定でき、簡易な作業で取り付けできる。
【００２２】
尚、上記実施形態では、人感センサ１と温湿度センサ２の２つのセンサを備えているが、人感センサ１のみでも良いし、人感センサ１に連動して作動する監視カメラを備えても良い。
また、人感センサ１、温湿度センサ２に加えて風速センサを組み付けても良く、不審者の監視に加えて作業環境の監視、特に高所作業環境の監視も行うことができ好ましい。
【符号の説明】
【００２３】
１・・人感センサ、２・・温湿度センサ、３・・表示灯、４・・筐体、５・・監視制御部（異常判定制御手段）、６・・スピーカ（報知手段）、７・・ベース金具、９・・コンクリート柱、１０・・単管パイプ、１１・・取付金具、１２・・パイプ取付金具、１３・・柱取付金具。
【図１】
2018112832.tif 000003
【図２】
2018112832.tif 000004
【図３】
2018112832.tif 000005
【図４】
2018112832.tif 000006
【図５】
2018112832.tif 000007
【図６】
2018112832.tif 000008
【図７】
2018112832.tif 000009